(57)【特許請求の範囲】
【請求項１】
照明負荷と交流電源との間に電気的に接続される一対の入力端子と、
前記一対の入力端子間に電気的に接続され、オン／オフを切替可能な開閉素子と、
前記一対の入力端子間に印加される電圧値を検出し、前記電圧値が閾値以上か否かに応じて第１値と第２値とが切り替わる検出信号を出力する検出部と、
前記照明負荷の光出力の大きさを指定する調光レベルが入力される入力部と、
前記調光レベルに応じて前記開閉素子を制御する開閉制御部と、
前記検出信号の１周期において前記検出信号の信号レベルが前記第１値にある特定期間の長さに基づいて、前記開閉制御部の動作モードを切り替えるモード切替部と、
を備える調光装置。
【請求項２】
前記第１値は、前記電圧値が前記閾値以上であるときの前記検出信号の前記信号レベルであって、
前記モード切替部は、前記特定期間の長さが規定値以下であると判断すると、前記開閉制御部の前記動作モードを停止モードに切り替えるように構成されており、
前記開閉制御部は、前記停止モードにおいては、前記開閉素子をオフに維持するように構成されている、
請求項１に記載の調光装置。
【請求項３】
前記モード切替部は、時間経過に伴う前記特定期間の長さの変動の大きさに応じて、前記開閉制御部の前記動作モードを切り替えるように構成されている、
請求項１又は２に記載の調光装置。
【請求項４】
前記検出信号の周波数から、前記交流電源の交流電圧の周波数を求めるように構成された周波数特定部を、更に備える、
請求項１〜３のいずれか１項に記載の調光装置。
【請求項５】
請求項１〜４のいずれか１項に記載の調光装置と、
照明負荷と交流電源との間において、前記調光装置と電気的に直列に接続され、オン／オフを切替可能なスイッチ装置と、を備え、
前記スイッチ装置は、前記スイッチ装置がオフのときに点灯する表示灯を有する、
照明制御システム。
【発明の詳細な説明】
【技術分野】
【０００１】
本発明は、一般に調光装置及び照明制御システムに関し、より詳細には、照明負荷を調光する調光装置及び照明制御システムに関する。
【背景技術】
【０００２】
従来、照明負荷を調光する調光装置が知られている（例えば、特許文献１）。
【０００３】
特許文献１に記載された調光装置は、一対の端子と、制御回路部と、制御回路部に制御電源を供給する制御電源部と、照明負荷の調光レベルを設定する調光操作部とを備えている。
【０００４】
一対の端子間には、制御回路部及び制御電源部それぞれが並列に接続されている。また、一対の端子間には、交流電源と照明負荷との直列回路が接続される。照明負荷は、複数のＬＥＤ（Light Emitting Diode）素子と、各ＬＥＤ素子を点灯させる電源回路とを備えている。電源回路は、ダイオードと電解コンデンサとの平滑回路を備えている。
【０００５】
制御回路部は、照明負荷に供給する交流電圧を位相制御するスイッチ部と、スイッチ部を駆動するスイッチドライブ部と、スイッチドライブ部及び制御電源部を制御する制御部と、を備えている。
【０００６】
制御電源部は、スイッチ部に並列に接続されている。制御電源部は、交流電源の交流電圧を制御電源に変換する。制御電源部は、制御電源を蓄積する電解コンデンサを備えている。
【０００７】
制御部は、制御電源部から電解コンデンサを通じて制御電源が供給される。制御部は、マイクロコンピュータを備えている。マイクロコンピュータは、調光操作部で設定された調光レベルに応じて、交流電圧の半サイクル毎の期間途中で、照明負荷への給電を遮断する逆位相制御を行う。
【先行技術文献】
【特許文献】
【０００８】
【特許文献１】特開２０１３−１４９４９８号公報
【発明の概要】
【発明が解決しようとする課題】
【０００９】
ところで、調光装置の使用態様によって、例えば、種々の照明負荷、及び表示灯付きのスイッチ装置など、様々な機器が調光装置と電気的に直列に接続され得る。そのため、調光装置と直列に接続される機器によっては、調光装置又は調光装置に接続された機器が異常な動作をする可能性がある。
【００１０】
本発明は上記事由に鑑みてなされており、より多くの使用態様に対応可能な調光装置及び照明制御システムを提供することを目的とする。
【課題を解決するための手段】
【００１１】
本発明の一態様に係る調光装置は、一対の入力端子と、開閉素子と、検出部と、入力部と、開閉制御部と、モード切替部と、を備えている。前記一対の入力端子は、照明負荷と交流電源との間に電気的に接続される。前記開閉素子は、前記一対の入力端子間に電気的に接続され、オン／オフを切替可能である。前記検出部は、前記一対の入力端子間に印加される電圧値を検出し、前記電圧値が閾値以上か否かに応じて第１値と第２値とが切り替わる検出信号を出力する。前記入力部は、前記照明負荷の光出力の大きさを指定する調光レベルが入力される。前記開閉制御部は、前記調光レベルに応じて前記開閉素子を制御する。前記モード切替部は、前記検出信号の１周期において前記検出信号の信号レベルが前記第１値にある特定期間の長さに基づいて、前記開閉制御部の動作モードを切り替える。
【００１２】
本発明の一態様に係る照明制御システムは、前記調光装置と、照明負荷と交流電源との間において、前記調光装置と電気的に直列に接続され、オン／オフを切替可能なスイッチ装置と、を備える。前記スイッチ装置は、前記スイッチ装置がオフのときに点灯する表示灯を有する。
【発明の効果】
【００１３】
本発明は、より多くの使用態様に対応可能になる、という利点がある。
【図面の簡単な説明】
【００１４】
【図１】図１は、本発明の実施形態１に係る照明制御システムの概略回路図である。
【図２】図２は、本発明の実施形態１に係る調光装置の検出部の一例を示す回路図である。
【図３】図３は、同上の調光装置の調光動作を示すタイミングチャートである。
【図４】図４は、同上の調光装置の消灯動作を示すタイミングチャートである。
【図５】図５は、本発明の実施形態１の変形例１に係る調光装置の概略回路図である。
【図６】図６は、本発明の実施形態１の変形例２に係る照明制御システムの概略回路図である。
【図７】図７は、本発明の実施形態１の変形例３に係る照明制御システムの概略回路図である。
【発明を実施するための形態】
【００１５】
（実施形態１）
（１）概要
以下、実施形態１に係る照明制御システムについて図面を参照して説明する。以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。
【００１６】
実施形態１に係る照明制御システム１０は、図１に示すように、調光装置１と、スイッチ装置１００と、を備えている。スイッチ装置１００は、照明負荷８と交流電源９との間において、調光装置１と電気的に直列に接続され、オン／オフを切替可能な装置である。調光装置１及びスイッチ装置１００は、例えば、互いに隣接した状態で住宅の壁等に取り付けられる。照明負荷８は、例えば、ＬＥＤ（Light Emitting Diode）を有する光源と、光源を点灯させる点灯回路とを備える照明装置である。この照明負荷８では、交流電源９からの電力供給時に光源が点灯する。交流電源９は、例えば、単相１００〔Ｖ〕、６０〔Ｈｚ〕の商用電源である。
【００１７】
スイッチ装置１００は、スイッチハンドルの操作に応じてオン／オフが切り替わる接点部１０１と、接点部１０１に対して電気的に並列に接続された表示灯１０２と、を有する。表示灯１０２は、スイッチ装置１００がオフのとき、つまり接点部１０１がオフのときに点灯する。要するに、接点部１０１がオフであれば、交流電源９から照明負荷８への電力供給は行われずに照明負荷８が消灯し、スイッチ装置１００の表示灯１０２が点灯する。そのため、表示灯１０２は、例えば、照明負荷８が消灯した状態でのスイッチ装置１００の位置の確認に用いられる。
【００１８】
調光装置１は、２線式の調光装置であって、交流電源９に対して照明負荷８と電気的に直列に接続された状態で使用される。調光装置１は、照明負荷８と交流電源９との間に電気的に接続される一対の入力端子１１，１２と、一対の入力端子１１，１２間に電気的に接続された開閉素子２とを備えている。開閉素子２は、例えば、双方向サイリスタ及びトランジスタ等の半導体スイッチからなる。調光装置１は、開閉素子２をオン／オフさせることにより、一対の入力端子１１，１２間の導通／非導通を切り替える。ここで、調光装置１は、交流電源９の交流電圧の半周期毎に開閉素子２をオンする時間（オン時間）の長さを、調光レベルに応じて変化させる。そのため、交流電圧の半周期において入力端子１１，１２間が導通する時間は、調光レベルに従って決定されることになる。すなわち、照明負荷８の光出力を小さくする場合にはオン時間は短く、照明負荷８の光出力を大きくする場合にはオン時間は長くなる。
【００１９】
上述した構成の照明制御システム１０の基本的な動作として、スイッチ装置１００がオフの状態では照明負荷８は消灯し、スイッチ装置１００がオンの状態では照明負荷８は点灯する。そして、スイッチ装置１００がオンの状態においては、調光装置１にて、調光レベルに従ってオン時間の長さが決定され、これにより照明負荷８の光出力が変化する。つまり、調光レベルに応じて、照明負荷８の光出力の大きさを変化させることが可能である。
【００２０】
（２）詳細
（２．１）調光装置の構成
以下、実施形態１に係る調光装置１の構成について、図１を参照して説明する。
【００２１】
本実施形態に係る調光装置１は、図１に示すように、一対の入力端子１１，１２と、開閉素子２と、検出部３と、入力部４と、開閉制御部５１と、モード切替部５２と、を備えている。さらに、調光装置１は、周波数特定部５３と、電源部６と、駆動部７と、ダイオードＤ１，Ｄ２と、を備えている。開閉制御部５１、モード切替部５２、及び周波数特定部５３は、制御回路５に設けられている。
【００２２】
一対の入力端子１１，１２は、照明負荷８と交流電源９との間に電気的に接続される。ここでいう「入力端子」は、電線等を接続するための部品（端子）として実体を有しなくてもよく、例えば電子部品のリードや、回路基板に含まれる導体の一部であってもよい。
【００２３】
開閉素子２は、一対の入力端子１１，１２間に電気的に接続され、オン／オフを切替可能である。ここでは、開閉素子２は、入力端子１１，１２間において、双方向の電流の遮断／通過を切り替えるように構成されている。開閉素子２は、例えば、入力端子１１，１２間に電気的に直列に接続された２つのＭＯＳＦＥＴ（Metal-Oxide-Semiconductor Field Effect Transistor）からなる。２つのＭＯＳＦＥＴの各々は、例えば、エンハンスメント形のｎチャネルＭＯＳＦＥＴである。２つのＭＯＳＦＥＴは、ソース端子同士が互いに接続される、つまり、いわゆる逆直列に接続されることにより、双方向の電流の遮断／通過を切り替える。
【００２４】
検出部３は、一対の入力端子１１，１２間に印加される電圧値を検出し、上記電圧値が閾値以上か否かによって第１値と第２値との二値が切り替わる検出信号ＺＣ１，ＺＣ２を出力する。本実施形態では、一例として、第１値がＬレベル（Low level）、第２値がＨレベル（High level）である。以下では、一対の入力端子１１，１２間に印加される電圧を「入力電圧Ｖｉｎ」という。入力電圧Ｖｉｎは交流電源９から印加される交流電圧であるので、一対の入力端子１１，１２に対する入力電圧Ｖｉｎの極性は変化する。以下の説明において、入力端子１１が正極となるときの入力電圧Ｖｉｎの極性を「正極性」といい、入力端子１２が正極となるときの入力電圧Ｖｉｎの極性を「負極性」という。
【００２５】
本実施形態では、検出部３は、入力電圧Ｖｉｎの大きさ（絶対値）と閾値とを比較し、比較結果を表す検出信号ＺＣ１，ＺＣ２を制御回路５に出力する。具体的には、検出部３は、ダイオードＤ３１と、第１検出部３１と、ダイオードＤ３２と、第２検出部３２と、を有している。第１検出部３１は、ダイオードＤ３１を介して入力端子１１に電気的に接続されている。第２検出部３２は、ダイオードＤ３２を介して入力端子１２に電気的に接続されている。第１検出部３１は、入力電圧Ｖｉｎの正極性の半周期において、入力電圧Ｖｉｎの電圧値が閾値以上か否かを検出し、検出信号ＺＣ１を出力する。第２検出部３２は、入力電圧Ｖｉｎの負極性の半周期において、入力電圧Ｖｉｎの電圧値が閾値以上か否かを検出し、検出信号ＺＣ２を出力する。第１検出部３１及び第２検出部３２の詳細については、「（２．２）検出部の構成」の欄で説明する。
【００２６】
さらに、閾値は０〔Ｖ〕付近に設定された値（絶対値）であり、例えば、数〔Ｖ〕程度である。そのため、検出部３は、交流電源９の交流電圧のゼロクロス点（０〔Ｖ〕）を検出するゼロクロス検出部としても機能する。つまり、第１検出部３１は、交流電源９の交流電圧が負極性の半周期から正極性の半周期に移行する際のゼロクロス点を検出する。また、第２検出部３２は、交流電源９の交流電圧が正極性の半周期から負極性の半周期に移行する際のゼロクロス点を検出する。ただし、検出部３でのゼロクロスの検出点は、厳密には交流電圧のゼロクロス点から少し時間が遅れる。検出信号ＺＣ１，ＺＣ２の信号レベルは、入力電圧Ｖｉｎの絶対値が閾値以上のときにＬレベル（第１値）、入力電圧Ｖｉｎの絶対値が閾値未満のときにＨレベル（第２値）となる。
【００２７】
入力部４は、照明負荷８の光出力の大きさを指定する調光レベルが入力される。入力部４は、ユーザによって操作される操作部から、調光レベルを表す信号を受け付け、制御回路５に調光信号として出力する。本実施形態では一例として、調光レベルは５〔％〕〜９７〔％〕の範囲で指定されると仮定する。調光レベルが大きい程、照明負荷８の光出力が大きくなる。入力部４は、調光信号を出力するのに際して、受け付けた信号を加工してもよいし、しなくてもよい。調光信号とは、照明負荷８の光出力の大きさを指定する数値等であって、照明負荷８を消灯状態とする「ＯＦＦレベル」を含む場合もある。操作部は、ユーザの操作を受けて入力部４に調光レベルを表す信号を出力する構成であればよく、例えば、可変抵抗器、ロータリスイッチ、タッチパネル、リモートコントローラ、又はスマートフォン等の通信端末などである。
【００２８】
制御回路５は、例えば、マイクロコンピュータを主構成として備えている。マイクロコンピュータは、マイクロコンピュータのメモリに記録されているプログラムをＣＰＵ（Central Processing Unit）で実行することにより、開閉制御部５１、モード切替部５２、及び周波数特定部５３としての機能を実現する。プログラムは、予めマイクロコンピュータのメモリに記録されていてもよいし、メモリカードのような記録媒体に記録されて提供されたり、電気通信回線を通して提供されたりしてもよい。言い換えれば、上記プログラムは、マイクロコンピュータを、開閉制御部５１、モード切替部５２、及び周波数特定部５３として機能させるためのプログラムである。
【００２９】
開閉制御部５１は、調光レベルに応じて開閉素子２を制御する。さらに、開閉制御部５１は、検出部３からの検出信号ＺＣ１，ＺＣ２に基づいて開閉素子２を制御する。開閉制御部５１は、開閉素子２をオン又はオフするための制御信号Ｓ１を生成し、制御信号Ｓ１を駆動部７に出力する。これにより、開閉制御部５１は、開閉素子２のオン／オフを切り替えるように、開閉素子２を制御する。
【００３０】
より詳細には、開閉制御部５１は、入力部４から調光信号を受けると、調光信号から調光レベルに相当する情報を抽出する。ここでは、調光信号は、照明負荷８の光出力の大きさを指定する数値等を含んでいるため、この数値等の情報が調光レベルに相当する。制御回路５のメモリには、調光レベルとオン時間との対応関係を表すテーブルが記憶されている。開閉制御部５１は、このテーブルを用いて、調光信号から抽出した調光レベルに対応するオン時間を求める。開閉制御部５１は、交流電源９の交流電圧の半周期ごとに、オン時間分だけ開閉素子２がオンするように、開閉素子２を制御する。
【００３１】
本実施形態に係る調光装置１は、交流電源９の交流電圧のゼロクロス点から半周期の途中までの期間に一対の入力端子１１，１２間が導通する、逆位相制御方式（トレーリングエッジ方式）で動作する。そのため、開閉制御部５１は、検出部３からの検出信号ＺＣ１，ＺＣ２に基づいて、交流電源９の交流電圧のゼロクロスの検出点から、オン時間にわたって開閉素子２をオンする。
【００３２】
ただし、オン時間は、規定範囲内で設定されるため、入力部４に入力された調光レベルに応じてオン時間が設定されない場合もある。例えば、照明負荷８の光出力を最大にするようにユーザが操作部を操作しても、オン時間は規定範囲内に制限され、入力部４からの調光信号の通りにはオン時間が設定されないことがある。このときのオン時間は、規定範囲の上限値となる。
【００３３】
ここで、開閉制御部５１の動作モードには、少なくとも通常モードと、停止モードとの２つの動作モードがある。動作モードが通常モードであれば、開閉制御部５１は、上述したように調光レベルに応じて開閉素子２を制御する。一方、動作モードが停止モードであれば、開閉制御部５１は、開閉素子２をオフに維持するように構成されている。つまり、停止モードにおいては、開閉制御部５１は、制御信号Ｓ１の出力を停止し、開閉素子２をオフに維持した状態で開閉素子２の制御を停止する。
【００３４】
モード切替部５２は、検出信号ＺＣ１，ＺＣ２の１周期において検出信号ＺＣ１，ＺＣ２の信号レベルがＬレベル（第１値）にある特定期間の長さに基づいて、開閉制御部５１の動作モードを切り替える。つまり、Ｌレベル及びＨレベルの二値が周期的に切り替わる検出信号ＺＣ１，ＺＣ２においては、１周期を、信号レベルがＬレベルの期間と、信号レベルがＨレベルの期間とに二分することができる。このうち、信号レベルがＬレベルの期間が特定期間となる。
【００３５】
ここで、開閉制御部５１の動作モードの切り替えが、結果的に、特定期間の長さに基づいてなされていればよく、モード切替部５２が、特定期間の長さを求めることは必須ではない。例えば、検出信号ＺＣ１，ＺＣ２の１周期において検出信号ＺＣ１，ＺＣ２の信号レベルがＨレベル（第２値）にある期間の長さに基づいて、又は、検出信号ＺＣ１，ＺＣ２のデューティ比に基づいて、開閉制御部５１の動作モードが切り替えられてもよい。ここでいう「デューティ比」は、検出信号ＺＣ１，ＺＣ２のＬレベル（又はＨレベル）の期間が検出信号ＺＣ１，ＺＣ２の１周期に占める割合である。すなわち、特定期間の長さに基づいて開閉制御部５１の動作モードを切り替える構成には、信号レベルがＨレベル（第２値）にある期間の長さ、又は検出信号ＺＣ１，ＺＣ２のデューティ比に基づいて、開閉制御部５１の動作モードを切り替える構成も含まれる。
【００３６】
本実施形態では、検出信号ＺＣ１，ＺＣ２の信号レベルであるＬレベル及びＨレベルのうちのＬレベル（第１値）は、入力電圧Ｖｉｎの電圧値が閾値以上であるときの検出信号ＺＣ１，ＺＣ２の信号レベルである。そして、モード切替部５２は、特定期間の長さが規定値以下であると判断すると、開閉制御部５１の動作モードを停止モードに切り替えるように構成されている。つまり、検出信号ＺＣ１，ＺＣ２の１周期に占めるＬレベルの期間の長さが規定値以下になると、モード切替部５２は開閉制御部５１の動作モードを停止モードに切り替える。反対に、特定期間の長さが規定値を超えたと判断すると、モード切替部５２は、開閉制御部５１の動作モードを通常モードに切り替える。
【００３７】
周波数特定部５３は、検出信号ＺＣ１，ＺＣ２の周波数から、交流電源９の交流電圧の周波数を求めるように構成されている。すなわち、検出部３は、上述したようにゼロクロス検出部としても機能するので、周波数特定部５３は、検出部３にて交流電源９の交流電圧のゼロクロス点が検出される周期から、交流電源９の交流電圧の周波数を求めることができる。例えば、第１検出部３１から出力される検出信号ＺＣ１においては、ＨレベルからＬレベルに切り替わる点が、交流電源９の交流電圧が負極性の半周期から正極性の半周期に移行する際のゼロクロスの検出点になる。そこで、周波数特定部５３は、検出信号ＺＣ１の周波数を、交流電源９の交流電圧の周波数とみなすことで、交流電源９の交流電圧の周波数を求めることができる。
【００３８】
電源部６は、制御電源を生成する制御電源部６１と、駆動電源を生成する駆動電源部６２と、を有している。さらに、電源部６は、コンデンサＣ１を有している。制御電源は、制御回路５の動作用の電源である。駆動電源は、駆動部７の駆動用の電源である。制御電源部６１は、駆動電源部６２から供給された駆動電源を降圧して制御電源を生成し、コンデンサＣ１に出力する。電源部６は、ダイオードＤ１を介して入力端子１１に電気的に接続され、ダイオードＤ２を介して入力端子１２に電気的に接続されている。これにより、開閉素子２がオフのときに、電源部６には、ダイオードＤ１，Ｄ２にて整流された入力電圧Ｖｉｎが印加されることになる。
【００３９】
駆動部７は、制御回路５（開閉制御部５１）から制御信号Ｓ１を受けて、開閉素子２に駆動電圧を印加し開閉素子２を駆動（オン／オフ）する。
【００４０】
また、本実施形態の調光装置１においては、制御回路５に、マスク部としての機能が備わっている。マスク部は、検出部３からの検出信号ＺＣ１，ＺＣ２を、マスク期間にわたって無効にする。詳しくは、「（２．４．２）調光動作」の欄で説明するが、マスク部にて検出信号ＺＣ１，ＺＣ２が無効化されると、制御回路５から見た検出信号ＺＣ１，ＺＣ２は信号レベルがＬレベルに固定される。
【００４１】
（２．２）検出部の構成
図２は、第１検出部３１の具体的な回路構成例を示す。第２検出部３２は、第１検出部３１と同様の構成であるので、ここでは説明を省略する。
【００４２】
図２の例では、第１検出部３１は、抵抗Ｒ１，Ｒ２，Ｒ３と、コンデンサＣ２と、トランジスタＱ１と、を有している。抵抗Ｒ１，Ｒ２は、ダイオードＤ３１のカソード端子と、電源部６のグランドとの間において電気的に直列に接続されている。コンデンサＣ２は、抵抗Ｒ１，Ｒ２のうち低電位側となる抵抗Ｒ２に対して電気的に並列に接続されている。トランジスタＱ１は、ｎｐｎ型のバイポーラトランジスタからなる。トランジスタＱ１のベース端子及びエミッタ端子間には、コンデンサＣ２が電気的に接続されている。抵抗Ｒ３はトランジスタＱ１と電気的に直列に接続され、抵抗Ｒ３及びトランジスタＱ１の直列回路には制御電源が印加される。
【００４３】
この構成により、第１検出部３１は、抵抗Ｒ３とトランジスタＱ１のコレクタ端子との接続点から、検出信号ＺＣ１を出力する。つまり、入力電圧Ｖｉｎの電圧値が閾値未満であれば、トランジスタＱ１がオフすることによって、検出信号ＺＣ１の信号レベルはＨレベルになる。一方、入力電圧Ｖｉｎの電圧値が閾値以上になると、コンデンサＣ２が充電されトランジスタＱ１がオンすることで、検出信号ＺＣ１の信号レベルはＬレベルになる。
【００４４】
（２．３）スイッチ装置の構成
図１の例では、スイッチ装置１００は、２本の配線を接続可能な、いわゆる片切スイッチである。スイッチ装置１００は、交流電源９に対して、照明負荷８及び調光装置１と電気的に直列に接続されている。
【００４５】
スイッチ装置１００は、上述したように接点部１０１と、接点部１０１に対して電気的に並列に接続された表示灯１０２と、を有している。表示灯１０２は、接点部１０１がオンのときには消灯し、接点部１０１がオフのときに点灯する。表示灯１０２は、例えばＬＥＤを用いて構成される。
【００４６】
このようなスイッチ装置１００であれば、接点部１０１がオフの状態であっても、表示灯１０２を通して電流が流れることになる。ただし、表示灯１０２を流れる電流は、接点部１０１がオンのときにスイッチ装置１００に流れる電流に比べれば極端に小さな電流である。そのため、スイッチ装置１００がオフ、つまり接点部１０１がオフであれば、交流電源９から照明負荷８への電力供給は行われずに照明負荷８は消灯する。
【００４７】
（２．４）動作
（２．４．１）起動動作
まず、調光装置１の通電開始時、つまりスイッチ装置１００がオンした直後の起動動作について説明する。
【００４８】
上述した構成の調光装置１によれば、スイッチ装置１００（接点部１０１）がオンし、入力端子１１，１２間に照明負荷８を介して交流電源９が接続されると、交流電源９から入力端子１１，１２間に交流電圧が印加され、制御回路５が起動する。
【００４９】
制御回路５が起動すると、周波数特定部５３は、検出部３の検出信号ＺＣ１，ＺＣ２を基に交流電源９の周波数の特定を行う。そして、制御回路５は、特定した周波数に応じて、予めメモリに記憶されている数値テーブルを参照し、各種の時間などのパラメータの設定を行う。それから、調光装置１は調光動作を開始する。ここにおいて、開閉制御部５１の動作モードとしては、デフォルトで通常モードが選択される。
【００５０】
（２．４．２）調光動作
次に、調光装置１の調光動作について、図３を参照して説明する。図３では、上から順に、入力電圧「Ｖｉｎ」、検出信号「ＺＣ１，ＺＣ２」、制御信号「Ｓ１」を示している。
【００５１】
図３では、第１検出部３１から出力される検出信号ＺＣ１と第２検出部３２から出力される検出信号ＺＣ２とを、まとめて１つの検出信号として表している。そのため、図３の例では、入力電圧Ｖｉｎの極性に関わらず、検出信号ＺＣ１，ＺＣ２の信号レベルは、入力電圧Ｖｉｎの絶対値が閾値Ｖｚｃ以上のときにＬレベル、入力電圧Ｖｉｎの絶対値が閾値Ｖｚｃ未満のときにＨレベルである。また、開閉素子２がオンの期間においては、一対の入力端子１１，１２間が短絡するので、実際には入力電圧Ｖｉｎは０〔Ｖ〕になる。ただし、図３では、入力電圧Ｖｉｎに関しては開閉素子２のオン／オフによる変動がないこと（つまり、開閉素子２が常にオフであること）と仮定して、入力電圧Ｖｉｎを表している。つまり、図３に示す入力電圧Ｖｉｎは、実際に一対の入力端子１１，１２間に印加されている入力電圧Ｖｉｎとは異なる。また、図３の例においては、開閉素子２をオンするときの制御信号Ｓ１の信号レベルを「ＯＮ」で表し、開閉素子２をオフするときの制御信号Ｓ１の信号レベルを「ＯＦＦ」で表している。
【００５２】
まず、入力電圧Ｖｉｎが正極性の半周期における調光装置１の動作について説明する。調光装置１は、位相制御の基準となる入力電圧Ｖｉｎのゼロクロス点を検出部３で検出する。入力電圧Ｖｉｎが負極性の半周期から正極性の半周期に移行する際には、入力電圧Ｖｉｎが正極性の閾値「Ｖｚｃ」に達したことをもって、検出信号ＺＣ１，ＺＣ２の信号レベルがＨレベルからＬレベルに切り替わる。検出信号ＺＣ１，ＺＣ２の信号レベルがＨレベルからＬレベルに切り替わる点が、検出部３でのゼロクロスの検出点である。検出信号ＺＣ１，ＺＣ２の信号レベルがＨレベルからＬレベルに切り替わると、開閉制御部５１は、制御信号Ｓ１の信号レベルを「ＯＮ」にする。そして、開閉制御部５１は、制御信号Ｓ１の信号レベルを「ＯＮ」にしてからオン時間が経過すると、制御信号Ｓ１の信号レベルを「ＯＦＦ」にする。これにより、検出部３でのゼロクロスの検出点からオン時間にわたって、開閉素子２がオンになる。このとき、交流電源９から開閉素子２を介して照明負荷８へ電力が供給され、照明負荷８が点灯する。
【００５３】
また、入力電圧Ｖｉｎの負極性の半周期における調光装置１の動作は、正極性の半周期と基本的に同様の動作となる。つまり、負極性の半周期において、入力電圧Ｖｉｎが負極性の閾値「−Ｖｚｃ」に達したことをもって、検出部３がゼロクロスを検出し、検出信号ＺＣ１，ＺＣ２の信号レベルがＨレベルからＬレベルに切り替わる。検出信号ＺＣ１，ＺＣ２の信号レベルがＨレベルからＬレベルに切り替わると、開閉制御部５１は、検出部３でのゼロクロスの検出点からオン時間にわたって制御信号Ｓ１の信号レベルを「ＯＮ」にする。これにより、交流電源９から開閉素子２を介して照明負荷８へ電力が供給され、照明負荷８が点灯する。
【００５４】
本実施形態の調光装置１は、以上説明した正極性の半周期の動作と負極性の半周期の動作とを入力電圧Ｖｉｎの半周期ごとに交互に繰り返すことで、照明負荷８の調光を行う。ここで、オン時間は、入力部４に入力された調光レベルに応じた時間であるので、半周期において入力端子１１，１２間が導通する時間は、調光レベルに従って決定されることになる。照明負荷８の光出力を小さくする場合にはオン時間は短く、照明負荷８の光出力を大きくする場合にはオン時間は長くなる。
【００５５】
ところで、本実施形態の調光装置１は、マスク部を備え、検出信号ＺＣ１，ＺＣ２を、マスク期間にわたって無効にするマスク処理を行っている。マスク期間は、検出信号ＺＣ１，ＺＣ２の信号レベルがＨレベルからＬレベルに切り替わった時点、つまり検出部３でのゼロクロスの検出点から、少なくともオン時間にかけて設定される。マスク期間の長さは、入力電圧Ｖｉｎの半周期を基準にして設定され、例えば、半周期よりもやや短い時間に設定される。したがって、開閉素子２のオン／オフによっては検出信号ＺＣ１，ＺＣ２の信号レベルは切り替わらず、少なくとも開閉素子２がオンの期間には、検出信号ＺＣ１，ＺＣ２の信号レベルはＬレベルに固定される。
【００５６】
図３において、「Ｔ１」は、検出信号ＺＣ１，ＺＣ２の１周期において検出信号ＺＣ１，ＺＣ２の信号レベルがＬレベル（第１値）にある特定期間を示している。つまり、特定期間Ｔ１は、入力電圧Ｖｉｎの絶対値が閾値Ｖｚｃに達してから、次に入力電圧Ｖｉｎの絶対値が閾値Ｖｚｃを下回るまでの期間である。特定期間Ｔ１の長さは、規定値を超えている。
【００５７】
また、照明負荷８の種類によっては、照明負荷８の起動時（通電開始時）において、照明負荷８内のインピーダンスの状態が不安定になることがある。このような照明負荷８であれば、照明負荷８の起動時には、特定期間の長さが不安定になる可能性がある。そこで、モード切替部５２は、例えば、照明負荷８の起動時における複数回（一例として１０回）分の特定期間については、特定期間の長さを規定値と比較しなくてもよい。
【００５８】
なお、照明負荷８の点灯回路は、調光装置１で位相制御された交流電圧の波形から調光レベルを読み取り、ＬＥＤ素子の光出力の大きさを変化させる。ここで、点灯回路は、一例としてブリーダ回路などの電流確保用の回路を有している。そのため、調光装置１の開閉素子２がオフとなる期間においても、照明負荷８に電流を流すことが可能である。
【００５９】
（２．４．３）消灯動作
次に、調光装置１の通電終了時、つまりスイッチ装置１００がオフした直後の消灯動作について図４を参照して説明する。図４は、図３と同様に、上から順に、入力電圧「Ｖｉｎ」、検出信号「ＺＣ１，ＺＣ２」、制御信号「Ｓ１」を示している。
【００６０】
図４においても、図３と同様に、検出信号ＺＣ１，ＺＣ２をまとめて１つの検出信号として表し、入力電圧Ｖｉｎに関しては開閉素子２のオン／オフによる変動がないことと仮定して、入力電圧Ｖｉｎを表している。さらに、開閉素子２をオンするときの制御信号Ｓ１の信号レベルを「ＯＮ」で表し、開閉素子２をオフするときの制御信号Ｓ１の信号レベルを「ＯＦＦ」で表している。
【００６１】
スイッチ装置１００（接点部１０１）がオフすると、交流電源９から照明負荷８への電力供給が停止するため、照明負荷８は消灯する。このとき、交流電源９からの電流は、僅かながら、表示灯１０２を通して、調光装置１及び照明負荷８に流れることになる。そのため、調光装置１は、スイッチ装置１００がオフした後であっても、制御電源及び駆動電源を確保でき、制御回路５は動作を継続する。
【００６２】
ところで、スイッチ装置１００がオフした状態では、交流電源９の交流電圧は、スイッチ装置１００（表示灯１０２）、調光装置１、及び照明負荷８の三者にて分圧される。この状態では、スイッチ装置１００（接点部１０１）がオンの状態に比べて、スイッチ装置１００のインピーダンスが大きくなるので、調光装置１に印加される電圧が小さくなる。つまり、調光装置１における一対の入力端子１１，１２間に印加される入力電圧Ｖｉｎの振幅は、図４に実線で示すように小さくなる。図４においては、スイッチ装置１００がオンのときの入力電圧Ｖｉｎ、つまり図３と同じ入力電圧Ｖｉｎを破線で示している。
【００６３】
入力電圧Ｖｉｎの振幅が小さくなると、入力電圧Ｖｉｎの電圧値の変化が緩やかになるため、入力電圧Ｖｉｎが閾値Ｖｚｃに達するタイミングが遅れる。そのため、図４に示すように、検出部３でのゼロクロスの検出点が遅れ、検出信号ＺＣ１，ＺＣ２の信号レベルがＨレベルからＬレベルに切り替わるタイミングが遅れる。さらに、入力電圧Ｖｉｎが閾値Ｖｚｃを下回るタイミングは早まるので、図４に示すように、検出信号ＺＣ１，ＺＣ２の信号レベルがＬレベルからＨレベルに切り替わるタイミングが早まる。そのため、検出信号ＺＣ１，ＺＣ２の１周期において検出信号ＺＣ１，ＺＣ２の信号レベルがＬレベル（第１値）にある特定期間Ｔ２は、図３における特定期間Ｔ１に比べて短くなる（Ｔ２＜Ｔ１）。
【００６４】
このとき、特定期間Ｔ２の長さが規定値以下であれば、モード切替部５２は、開閉制御部５１の動作モードを停止モードに切り替える。ただし、本実施形態では、モード切替部５２は、特定期間Ｔ２の長さが規定値以下であることを一度検知しただけでは動作モードの切り替えを行わず、特定期間Ｔ２の長さが規定値以下であることを複数回連続して検知した場合に、動作モードの切り替えを行う。すなわち、例えば、特定期間Ｔ２の長さが複数回連続して規定値以下になって初めて、モード切替部５２は、特定期間Ｔ２の長さが規定値以下であると判断し、開閉制御部５１の動作モードが停止モードに切り替わる。図４の例では、特定期間Ｔ２の長さが規定値以下であることを複数回（ここでは３回）連続して検知した時点ｔ１にて、モード切替部５２は、開閉制御部５１の動作モードを停止モードに切り替える。
【００６５】
そのため、時点ｔ１以前は、開閉制御部５１の動作モードは通常モードであって、調光動作と同様に、開閉制御部５１は、検出部３でのゼロクロスの検出点からオン時間にわたって制御信号Ｓ１の信号レベルを「ＯＮ」にする。これにより、入力電圧Ｖｉｎの半周期ごとに開閉素子２がオン／オフを繰り返すことになる。開閉素子２がオンの状態では、開閉素子２がオフの状態に比べて、調光装置１のインピーダンスが小さくなるので、表示灯１０２に印加される電圧が大きくなる。したがって、開閉素子２のオン／オフを繰り返していると、表示灯１０２に流れる電流の大きさが変化し、表示灯１０２の光出力の大きさが変化する可能性がある。その結果、表示灯１０２のちらつきが生じる可能性がある。
【００６６】
一方、時点ｔ１以降は、開閉制御部５１の動作モードは停止モードであって、開閉制御部５１は、制御信号Ｓ１の出力を停止し、制御信号Ｓ１の信号レベルを「ＯＦＦ」に維持する。これにより、開閉素子２がオフに固定され、調光装置１のインピーダンスが一定になるので、スイッチ装置１００に印加される電圧も一定になる。したがって、表示灯１０２に流れる電流の大きさが安定し、表示灯１０２の光出力の大きさの変化が抑制され、表示灯１０２のちらつきが抑制される。
【００６７】
（３）利点
本実施形態の調光装置１は、一対の入力端子１１，１２と、開閉素子２と、検出部３と、入力部４と、開閉制御部５１と、モード切替部５２と、を備えている。一対の入力端子１１，１２は、照明負荷８と交流電源９との間に電気的に接続される。開閉素子２は、一対の入力端子１１，１２間に電気的に接続され、オン／オフを切替可能である。検出部３は、一対の入力端子１１，１２間に印加される電圧値を検出し、上記電圧値が閾値以上か否かに応じて第１値（Ｌレベル）と第２値（Ｈレベル）とが切り替わる検出信号ＺＣ１，ＺＣ２を出力する。入力部４は、照明負荷８の光出力の大きさを指定する調光レベルが入力される。開閉制御部５１は、上記調光レベルに応じて開閉素子２を制御する。モード切替部５２は、検出信号ＺＣ１，ＺＣ２の１周期において検出信号ＺＣ１，ＺＣ２の信号レベルが上記第１値にある特定期間Ｔ１（又はＴ２）の長さに基づいて、開閉制御部５１の動作モードを切り替える。
【００６８】
この構成によれば、例えば、種々の照明負荷８、及び表示灯１０２付きのスイッチ装置１００など、様々な機器が調光装置１と電気的に直列に接続されるとしても、調光装置１又は調光装置１に接続された機器の異常動作を抑制可能である。つまり、調光装置１と直列に接続される機器によっては、例えば、開閉素子２がオン／オフを繰り返す調光装置１の動作によって、調光装置１と機器にかかる電圧が変化し、調光装置１又は機器の異常動作に繋がる可能性がある。一例として、本実施形態のように、表示灯１０２付きのスイッチ装置１００が調光装置１に直列に接続されている場合には、スイッチ装置１００のオフ時において、開閉素子２がオン／オフを繰り返すことで表示灯１０２のちらつきを生じる可能性がある。本実施形態の調光装置１では、特定期間Ｔ１（又はＴ２）の長さに基づいて、一対の入力端子１１，１２間に印加される電圧（入力電圧Ｖｉｎ）の振幅を検出し、間接的に、調光装置１に直列に接続された機器の状態を検出することができる。例えば、表示灯１０２付きのスイッチ装置１００が調光装置１に接続されている状態においては、調光装置１は、スイッチ装置１００がオフであることを検出して開閉制御部５１の動作モードを切り替えることにより、表示灯１０２のちらつきを抑制できる。その結果、本実施形態の調光装置１によれば、より多くの使用態様に対応可能になる、という利点がある。
【００６９】
また、本実施形態のように、上記第１値（Ｌレベル）は、上記電圧値が上記閾値以上であるときの検出信号ＺＣ１，ＺＣ２の信号レベルであることが好ましい。この場合、モード切替部５２は、特定期間の長さが規定値以下であると判断すると、開閉制御部５１の動作モードを停止モードに切り替えるように構成されていることが好ましい。この場合、開閉制御部５１は、停止モードにおいては、開閉素子２をオフに維持するように構成されていることが好ましい。この構成によれば、一対の入力端子１１，１２間に印加される電圧（入力電圧Ｖｉｎ）の振幅が小さくなったときに、開閉素子２をオフに維持することができる。したがって、例えば、表示灯１０２付きのスイッチ装置１００が調光装置１に接続されている状態において、調光装置１は、スイッチ装置１００がオフであることを検出して開閉素子２をオフに維持し、表示灯１０２のちらつきを抑制できる。ただし、特定期間の長さが規定値以下であると判断すると、モード切替部５２が開閉制御部５１の動作モードを停止モードに切り替えることは調光装置１に必須の構成ではない。例えば、モード切替部５２は、特定期間の長さが規定値を超えたと判断すると、開閉制御部５１の動作モードを停止モードに切り替える構成であってもよい。
【００７０】
また、本実施形態のように、調光装置１は、検出信号ＺＣ１，ＺＣ２の周波数から、交流電源９の交流電圧の周波数を求めるように構成された周波数特定部５３を、更に備えることが好ましい。この構成によれば、検出部３を、モード切替部５２だけでなく、周波数特定部５３での交流電源９の交流電圧の周波数の特定にも利用することができる。ただし、周波数特定部５３は調光装置１に必須の構成ではなく、周波数特定部５３は省略されていてもよい。
【００７１】
また、本実施形態に係る照明制御システム１０は、調光装置１と、照明負荷８と交流電源９との間において、調光装置１と電気的に直列に接続され、オン／オフを切替可能なスイッチ装置１００と、を備えている。ここで、スイッチ装置１００は、スイッチ装置１００がオフのときに点灯する表示灯１０２を有することが好ましい。この構成によれば、調光装置１は、スイッチ装置１００がオフであることを検出して開閉制御部５１の動作モードを切り替えることにより、表示灯１０２のちらつきを抑制できる。その結果、本実施形態の照明制御システム１０によれば、より多くの使用態様に対応可能になる、という利点がある。
【００７２】
ところで、調光装置の制御方式には、逆位相制御方式（トレーリングエッジ方式）の他、交流電圧の半周期の途中からゼロクロス点までの期間に一対の入力端子１１，１２間が導通する、正位相制御方式（リーディングエッジ方式）がある。逆位相制御方式は、光源としてのＬＥＤ素子を備えた照明負荷８に、ゼロクロス点付近から電力供給を開始するため、電力供給開始時の電流波形歪みを小さく抑えることができる。これにより、調光装置に接続可能な照明負荷８の数（灯数）が増えたり、うなり音の発生を抑制できたりする利点がある。
【００７３】
なお、本実施形態の調光装置１は、基本的に逆位相制御方式を採用しつつも、半周期の始点（ゼロクロス点）からやや遅れた時点（検出部３でのゼロクロスの検出点）にて照明負荷８に電力供給を開始している。そのため、厳密なゼロクロス点にて照明負荷８への電力供給を開始する逆位相制御方式よりも電流波形歪みは大きくなる可能性がある。ただし、検出部３でのゼロクロスの検出点における入力電圧Ｖｉｎの絶対値はそれほど大きくはないため、電流波形歪みの影響は無視できるほど小さい。
【００７４】
（４）変形例
（４．１）変形例１
図５は、実施形態１の変形例１に係る調光装置１を示している。変形例１においては、調光装置１は、スイッチ装置１００（図１参照）と組み合わされるのではなく単独で使用されている。すなわち、変形例１では、調光装置１及び照明負荷８の直列回路が、スイッチ装置１００を介さずに、交流電源９に対して直接的に接続されている。
【００７５】
ここで、例えば、照明負荷８の起動時（通電開始時）において、照明負荷８内のインピーダンスの状態が不安定になることがある。このような照明負荷８であれば、照明負荷８の起動時には、特定期間の長さが不安定になる可能性がある。変形例１に係る調光装置１は、このような不安定な状態を、特定期間の長さから検出することで、例えば、照明負荷８の起動時に、開閉制御部５１を停止モードで動作させて、照明負荷８の異常動作を抑制することができる。したがって、変形例１の調光装置１によれば、より多くの使用態様に対応可能になる、という利点がある。
【００７６】
（４．２）変形例２
図６は、実施形態１の変形例２に係る照明制御システム１０Ａを示している。変形例２においては、調光装置１は、２つのスイッチ装置１００Ａ，１００Ｂと共に、照明制御システム１０Ａを構成する。変形例２においては、スイッチ装置１００Ａ，１００Ｂは、いずれも３本の配線を接続可能な、いわゆる三路スイッチである。そのため、２つのスイッチ装置１００Ａ，１００Ｂを組み合わせた照明制御システム１０Ａでは、照明負荷８への通電状態を、２箇所で切り替えることが可能である。例えば、２つのスイッチ装置１００Ａ，１００Ｂが、建物における階段の上階部分と下階部分とにそれぞれ設置されている場合、建物における階段の上階部分と下階部分との２箇所で、照明負荷８への通電状態を切り替えることが可能である。
【００７７】
スイッチ装置１００Ａ，１００Ｂの各々は、３つの端子と、これら３つの端子間の接続関係を切り替える接点部１０１Ａ，１０１Ｂと、を備えている。スイッチ装置１００Ａ，１００Ｂの各々において、表示灯１０２Ａ，１０２Ｂは、３つの端子のうち共通端子を除く２つの端子間に電気的に接続されている。これにより、スイッチ装置１００Ａ，１００Ｂがオフの状態、つまり交流電源９から照明負荷８へ電力供給されていない状態において、スイッチ装置１００Ａ，１００Ｂの両方の表示灯１０２Ａ，１０２Ｂが点灯する。
【００７８】
照明制御システム１０Ａにおいては、２つのスイッチ装置１００Ａ，１００Ｂが調光装置１に対して直列に接続されるため、スイッチ装置が１つの場合に比べて、開閉素子２がオン／オフを繰り返すことによる表示灯１０２Ａ，１０２Ｂのちらつきが生じやすい。したがって、照明制御システム１０Ａでは、表示灯１０２Ａ，１０２Ｂのちらつきを抑制できる効果が、より顕著になる。
【００７９】
（４．３）変形例３
図７は、実施形態１の変形例３に係る照明制御システム１０Ｂを示している。変形例３においては、調光装置１は、３つのスイッチ装置１００Ａ，１００Ｂ，１００Ｃと共に、照明制御システム１０Ｂを構成する。変形例３においては、スイッチ装置１００Ａ，１００Ｂは、変形例２と同様に、いずれも３本の配線を接続可能な、いわゆる三路スイッチである。一方、スイッチ装置１００Ｃは、４本の配線を接続可能な、いわゆる四路スイッチである。そのため、３つのスイッチ装置１００Ａ，１００Ｂ，１００Ｃを組み合わせた照明制御システム１０Ｂでは、照明負荷８への通電状態を、３箇所で切り替えることが可能である。
【００８０】
スイッチ装置１００Ｃは、４つの端子と、これら４つの端子間の接続関係を切り替える接点部１０１Ｃと、を備えている。スイッチ装置１００Ｃにおいて、表示灯１０２Ｃは、４つの端子のうちスイッチ装置１００Ｂに接続される２つの端子間に電気的に接続されている。これにより、スイッチ装置１００Ａ，１００Ｂ，１００Ｃがオフの状態、つまり交流電源９から照明負荷８へ電力供給されていない状態において、スイッチ装置１００Ａ，１００Ｂ，１００Ｃの全ての表示灯１０２Ａ，１０２Ｂ，１０２Ｃが点灯する。
【００８１】
照明制御システム１０Ｂでは、３つのスイッチ装置１００Ａ，１００Ｂ，１００Ｃが調光装置１に接続されるため、スイッチ装置が１つの場合に比べて、開閉素子２がオン／オフを繰り返すことによる表示灯１０２Ａ，１０２Ｂ，１０２Ｃのちらつきが生じやすい。したがって、照明制御システム１０Ｂでは、表示灯１０２Ａ，１０２Ｂ，１０２Ｃのちらつきを抑制できる効果が、より顕著になる。
【００８２】
（４．４）その他の変形例
以下、上述した変形例１〜３以外の実施形態１の変形例を列挙する。
【００８３】
上述した実施形態１及び変形例１〜３の調光装置は、光源としてＬＥＤ素子を用いた照明負荷８に限らず、有機ＥＬ（Electroluminescence）素子や放電灯など、様々な光源の照明負荷８に適用可能である。
【００８４】
また、開閉素子２は、ＭＯＳＦＥＴに限らず、例えば、逆直列に接続された２つのＩＧＢＴ（Insulated Gate Bipolar Transistor）などで構成されていてもよい。さらにまた、開閉素子２は、例えば、ＧａＮ（窒化ガリウム）などのワイドバンドギャップの半導体材料を用いたダブルゲート（デュアルゲート）構造の半導体素子であってもよい。この構成によれば、開閉素子２の導通損失の低減を図ることができる。
【００８５】
また、開閉制御部５１による開閉素子２の制御方式は、上述した例に限らず、例えば、交流電源９の交流電圧と同じ周期で、開閉素子２を構成する２つのＭＯＳＦＥＴを交互にオンする方式であってもよい。この場合、２つのＭＯＳＦＥＴのうち、入力電圧Ｖｉｎの高電位側となるＭＯＳＦＥＴがオンしている期間に、開閉素子２が導通することになる。つまり、この変形例では、交流電圧のゼロクロス点から半周期の途中までの期間に一対の入力端子１１，１２間が導通する、いわゆる逆位相制御が実現される。この場合、制御信号Ｓ１と入力電圧Ｖｉｎとの位相差を調節することで、開閉素子２のオン時間を調節することができる。
【００８６】
さらに、制御方式として、逆位相制御方式に限らず、交流電圧の半周期の途中からゼロクロス点までの期間に一対の入力端子１１，１２間が導通する、正位相制御方式が、採用されてもよい。この場合、開閉素子２は、例えば、３端子の双方向サイリスタ（トライアック）にて構成され、開閉制御部５１は、交流電圧の半周期の途中で開閉素子２をオンする。双方向サイリスタからなる開閉素子２は、交流電源９の交流電圧のゼロクロス点（０〔Ｖ〕）付近で非導通となる。
【００８７】
また、開閉制御部５１の動作モードは、通常モード及び停止モードに限らず、例えば、オン時間を長く又は短くする制限モード、及び開閉素子２をオンに維持する強制オンモードなどを含んでいてもよい。
【００８８】
また、検出信号ＺＣ１，ＺＣ２の信号レベルである第１値及び第２値のうちの第１値（Ｌレベル）は、入力電圧Ｖｉｎの電圧値が閾値未満であるときの検出信号ＺＣ１，ＺＣ２の信号レベルであってもよい。さらに、実施形態１では、第１値がＬレベル、第２値がＨレベルであるが、この関係に限らず、第１値がＨレベル、第２値がＬレベルであってもよい。
【００８９】
また、モード切替部５２は、特定期間の長さが規定値以下であることを一度検知しただけで、特定期間の長さが規定値以下であると判断し、動作モードの切り替えを行うように構成されていてもよい。又は、モード切替部５２は、特定期間の長さが規定値以下であることを、所定値以上の頻度で検知した場合に、特定期間の長さが規定値以下であると判断し、動作モードの切り替えを行うように構成されていてもよい。
【００９０】
また、検出部３は、全波整流後の入力電圧Ｖｉｎの電圧値を検出する構成であってもよい。さらに、検出部３は、ゼロクロス検出部と兼用される構成に限らず、ゼロクロス検出部とは別に検出部３が設けられていてもよい。さらにまた、検出部３の具体回路は、図２に示す回路に限らず、適宜変更が可能である。
【００９１】
また、駆動部７は、調光装置１に必須の構成ではなく、適宜省略されていてもよい。駆動部７が省略される場合、制御回路５が直接的に開閉素子２を駆動する。駆動部７が省略される場合には、駆動電源部６２が省略される。
【００９２】
また、開閉素子２がオンするタイミングは、検出部３でのゼロクロスの検出点に限らず、例えば検出点から一定の遅延時間（例えば３００〔μｓ〕）が経過した時点であってもよい。遅延時間は３００〔μｓ〕に限らず、０〔μｓ〕〜５００〔μｓ〕の範囲で適宜設定される。
【００９３】
なお、実施形態１でのダイオードＤ１，Ｄ２は調光装置１に必須の構成ではなく、ダイオードＤ１，Ｄ２は適宜省略されていてもよい。
【００９４】
また、電圧値及び閾値等の二値間の比較において、「以上」としているところは、二値が等しい場合、及び二値の一方が他方を超えている場合との両方を含む。ただし、これに限らず、ここでいう「以上」は、二値の一方が他方を超えている場合のみを含む「より大きい」と同義であってもよい。つまり、二値が等しい場合を含むか否かは、閾値等の設定次第で任意に変更できるので、「以上」か「より大きい」かに技術上の差異はない。同様に、「未満」においても「以下」と同義であってもよい。
【００９５】
（実施形態２）
本実施形態の調光装置１は、モード切替部５２が、時間経過に伴う特定期間の長さの変動の大きさに応じて、開閉制御部５１の動作モードを切り替えるように構成されている点で、実施形態１の調光装置１と相違する。調光装置１の回路構成は、実施形態１の調光装置１と同じである。以下、実施形態１と同様の構成については共通の符号を付して適宜説明を省略する。
【００９６】
すなわち、本実施形態では、モード切替部５２は、特定期間の長さが規定値以下であるか否かではなく、特定期間の長さがどの程度変動しているかによって、開閉制御部５１の動作モードを切り替える。具体的には、モード切替部５２は、連続する複数回（例えば１０回）分の特定期間の長さを求め、これら複数回分の特定期間における長さの変動の大きさを算出して、基準値と比較する。ここでいう変動の大きさは、例えば、連続する２回分の特定期間における差分若しくは変化率、又は長さのばらつきの度合い（分散）などである。そして、モード切替部５２は、変動の大きさが基準値以上になると、例えば、開閉制御部５１の動作モードを停止モードに切り替える。
【００９７】
ここで、例えば、照明負荷８の起動時（通電開始時）において、照明負荷８内のインピーダンスの状態が不安定になることがある。このような照明負荷８であれば、照明負荷８の起動時には、特定期間の長さが不安定になる可能性がある。本実施形態に係る調光装置１は、このような不安定な状態を、特定期間の長さの変動の大きさから検出することで、例えば、照明負荷８の起動時に、開閉制御部５１を停止モードで動作させて、照明負荷８の異常動作を抑制することができる。したがって、本実施形態の調光装置１によれば、より多くの使用態様に対応可能になる、という利点がある。
【００９８】
実施形態２の構成は、実施形態１（変形例を含む）で説明した各構成と組み合わせて適用可能である。
【符号の説明】
【００９９】
１  調光装置
２  開閉素子
３  検出部
４  入力部
８  照明負荷
９  交流電源
１０，１０Ａ，１０Ｂ  照明制御システム
１１，１２  入力端子
５１  開閉制御部
５２  モード切替部
５３  周波数特定部
１００，１００Ａ，１００Ｂ，１００Ｃ  スイッチ装置
１０２，１０２Ａ，１０２Ｂ，１０２Ｃ  表示灯
Ｔ１，Ｔ２  特定期間
Ｖｚｃ  閾値
ＺＣ１，ＺＣ２  検出信号
【図１】
0006618014.tif 000002
【図２】
0006618014.tif 000003
【図３】
0006618014.tif 000004
【図４】
0006618014.tif 000005
【図５】
0006618014.tif 000006
【図６】
0006618014.tif 000007
【図７】
0006618014.tif 000008